(57)【要約】【課題】汗による蒸れを生じることがなく、カップ体の不慮の脱落を招来せず、バンドレスブラジャーの脱着時において乳頭部分に痛みの感じることがなく、汗等の臭いの拡散を防止できるバンドレスブラジャー及びその製造方法の提供。【解決手段】  二個一組のカップ体を備えたバンドレスブラジャーであって、前記カップ体は、カップ体基体と該カップ体基体の内面側に設けられる接着層からなり、接着層は、接着剤と高吸水性ポリマーを含み、当該接着層の表面において、接着剤と高吸水性ポリマーの双方が露出した構成としたことを特徴とするバンドレスブラジャー。【選択図】図２
2005232649.tif 000002
【特許請求の範囲】
【請求項１】
二個一組のカップ体を備えたバンドレスブラジャーであって、
前記カップ体（１０）は、カップ体基体（１３）と該カップ体基体（１３）の内面側に設けられる接着層（１２）とからなり、
接着層（１２）は、接着剤（１５）と高吸水性ポリマー（１６）を含み、当該接着層（１２）の表面において、接着剤（１５）と高吸水性ポリマー（１６）の双方が露出した構成としたことを特徴とするバンドレスブラジャー。
【請求項２】
接着層（１２）は、カップ体基体（１３）の内面において、乳頭当接位置（１８）を除く位置に設けたことを特徴とする請求項１記載のバンドレスブラジャー。
【請求項３】
カップ体基体（１３）は、可撓性シート（１７）によって発泡体（１９）を被覆密封した碗状とし、前記発泡体（１９）は、独立気泡性の発泡体としたことを特徴とする請求項１又は２記載のバンドレスブラジャー。
【請求項４】
カップ体（１０）の下部の厚みをカップ体（１０）の上部の厚みよりも大きくしたことを特徴とする請求項１、２又は３記載のバンドレスブラジャー。
【請求項５】
裁断されたエラストマーと発泡材料とを混合して、袋状の耐熱性を有する可撓性シート（１７）内に封入した後、カップ体成型用の型内で１２０℃乃至１６０℃程度で加熱してカップ体（１０）を形成し、
次に、成形型から取り出されたカップ体（１０）の内面側に接着剤（１５）を塗布し、塗布後乾燥までの間に、接着剤（１５）上に対して高吸水性ポリマー（１６）を固着してなることを特徴とするバンドレスブラジャーの製造方法。
【発明の詳細な説明】
【技術分野】
【０００１】
本発明は、肩紐及び胸囲紐がないブラジャー（以下、バンドレスブラジャーという。）及びバンドレスブラジャーの製造方法に関するものである。尚、本発明におけるバンドレスブラジャーが備える二個一組のカップ体は、カップ体相互が連結されているもの、連結されていないものの双方を含む。
【背景技術】
【０００２】
従来から、バンドレスブラジャーは種々製造されており、近年における例としては、一対のカップ体を備え、各カップ体が乳房に対応する形状に形成され、各カップ体がシリコンゴムから製造され、一対の接着層は接着剤からなり、それぞれカップ体に対応してカップ体の内凹表面に設置され、且つその接着剤の露出表面層は付着性と離脱しやすい性質があって皮膚を傷付けず、そのためにカップ体は皮膚に付着しやすく、繰り返し使用、取外すことが可能であり、連結材は、二つのカップ体の間に設置されていることを特徴とするバンドレスブラジャー（例えば、実願２００３−００３００４号公報参照。）等が公知である。
【０００３】
また、カップ体相互を分離独立した構成のものとして、弾性を有する素材でお碗型、或いはお碗型の円周から始まる一部の箇所を取除いた形状に形成されたカップ体（バストカップ）の内面に、人体の肌に粘着可能な粘着剤を塗布し、バストカップのみで乳房に装着可能なブラジャー（例えば、特許文献２参照。）が公知である。
【０００４】
【特許文献１】実願２００３−００３００４号公報
【特許文献２】特開２００２−２４２００３号公報
【発明の開示】
【発明が解決しようとする課題】
【０００５】
上記した従来のバンドレスブラジャーは皮膚に対して接着剤で密着する構成であることから、着用者は発汗しやすく、蒸れによる不快感を生じやすいものであった。このため、ブラジャーのカップ体に通気性を持たせることにより、発汗を抑えることも考えられるが、通気性を十分に確保するとカップが外れやすくなる。
【０００６】
また、従来のバンドレスブラジャーの接着剤は、当然バンドレスブラジャーの不慮の脱落を招来しない程度の接着力が当然に要求されるが、前記した汗により、前記した接着力は低減し易く、脱着時において皮膚を傷付けない程度で、脱落しないようにブラジャーを皮膚へ取付ける必要がある。このため、実際には相当の接着力を要するのである。
【０００７】
そして、胸に貼着されたバンドレスブラジャーを脱着する際に、乳房における通常の皮膚部分対しては痛みを感じない場合であっても、特に皮膚が薄く神経の集中している乳頭部分には痛みを感じることが非常に多いという問題点もあった。
【０００８】
更に、上記種々の問題点に加えて、左右のカップ体が相互に分離されたバンドレスブラジャーの場合には、左右をバランスよく位置決めすることが非常に手間となる欠点があった。
【０００９】
本発明は以上の事情に鑑みてなされたものであり、汗による蒸れを生じることがなく、清潔感を保つことができ、カップ体の不慮の脱落を招来せず、バンドレスブラジャーの脱着時において乳頭部分に痛みの感じることがなく、更には、汗等の臭いの拡散を防止することができる極めて優れたバンドレスブラジャーを提供することを、発明が解決しようとする課題とするものである。
【課題を解決するための手段】
【００１０】
本発明は、二個一組のカップ体を備えたバンドレスブラジャーであって、前記カップ体は、カップ体基体と該カップ体基体の内面側に設けられる接着層からなり、接着層は、接着剤と高吸水性ポリマーを含み、当該接着層の表面において、接着剤と高吸水性ポリマーの双方が露出した構成としたことを特徴とするバンドレスブラジャー等を、課題を解決するための手段とする。
【発明の効果】
【００１１】
本発明のうち請求項１に係るバンドレスブラジャーによれば、二個一組のカップ体を備えたバンドレスブラジャーであって、前記カップ体は、カップ体基体と該カップ体基体の内面側に設けられる接着層からなり、接着層は、接着剤と高吸水性ポリマーを含み、当該接着層の表面において、接着剤と高吸水性ポリマーの双方が露出した構成によって、乳房の皮膚に対して接着剤と高吸水性ポリマーの双方が当接することにより、高吸水性ポリマーが汗を吸取って蒸れを防止するとともに、皮膚に対する接着剤の接着力を十分に保持することができる。
【００１２】
また、請求項２に係るバンドレスブラジャーによれば、接着層は、カップ体基体の内面において、乳頭当接位置を除く位置に設けた構成によって、乳頭と接着層との接触を防止したことから、皮膚が薄く神経の集中している乳頭が接着層に触れることがなく、したがって、当該乳頭に痛みを生ずることもなくなり、装着しているときも、脱着する際も、不快感が生じないものとすることができる。
【００１３】
また、前記請求項２に係る発明によれば、左右別個のカップ体としたバンドレスブラジャーに使用した場合、カップ体を胸部に装着する際に、乳頭当接位置を容易に確認できることから、カップの位置決めを極めて容易におこなうことができる。
【００１４】
更に、請求項３に係るバンドレスブラジャーによれば、カップ体基体は、可撓性シートによって発泡体を被覆密封した碗状とするとともに、前記発泡体は、独立気泡性の発泡体としたことによって、可撓性シートが通気性を備えない場合には当該カップ体基体によって通気が遮断され、また可撓性シートが通気性を有する場合には、独立気泡性の発泡体によって通気が遮断されることとなり、外気との接触を避け、雑菌の繁殖を抑えるとともに、体臭の拡散を防止することができ、高吸水性ポリマーによる吸汗性との相乗作用により、快適な使用感を得ることができる。
【００１５】
また、カップ体に上記発泡体を用いることで、カップ体全体の重量を軽量とすることができることから、重量を原因とするカップ体の不慮の脱落の可能性を更に低減することができる。
【００１６】
更に、図３に示すように、カップ体の下部には、その厚みをカップ部の上部の厚みよりも大きくした肉厚部２３を形成することにより、該肉厚部２３が上部を支え、カップ体の脱落を防止するとともに、乳房を上方へ押し上げ、シルエットを美しくみせる効果を得ることができる。
【発明を実施するための最良の形態】
【００１７】
本発明は、カップ体における接着層が、接着剤と高吸水性ポリマーを含み、当該接着層の表面において、接着剤と高吸水性ポリマーの双方が露出した構成としたことによって、汗による蒸れを防止し、快適さを確保するバンドレスブラジャーを実現した。
【実施例】
【００１８】
（実施例１に係るバンドレスブラジャーの構成）
図１は本発明の実施例１に係るバンドレスブラジャーを示す斜視図、図２は同実施例１に係るバンドレスブラジャーのカップ体の一部拡大したＡ−Ａ断面図、図３は同実施例１に係るバンドレスブラジャーのカップ体の一部拡大したＢ−Ｂ断面図、図４は同実施例１に係るバンドレスブラジャーの内面側を示す説明図、図５は本発明の実施例２に係るバンドレスブラジャーを示す斜視図である。
【００１９】
本発明の実施例１に係るバンドレスブラジャー１は、図１及び図２に示すように、互いに連結されない別個の右用のカップ体１０及び左用のカップ体１０からなる。各カップ体１０は、エラストマー１４であるシリコーンゴムと、発泡剤であるアゾジカルボンアミド（永和化成製商品名ビニホール）との混合発泡物である発泡体１９を、可撓性シート１７で被覆した構成のカップ体基体１３と、カップ体基体１３の内面における乳頭当接位置１８を除いた部分に設けられる接着層１２とからなる。
【００２０】
接着層１２は、接着剤１５であるシリコーンゲルと高吸水性ポリマー１６とからなり、接着層１２表面において、シリコーンゲルと高吸水性ポリマーの双方が露出した状態としている。
ここで、当該実施例１に係る高吸水性ポリマー１６は、例えばサンフレッシュＳＴ−５００Ｎ（三洋化成工業製）等を用いることができ、Ａカップ（カップ重量７０グラム乃至９０グラム程度）用の場合、カップ一個当たり、約０．５グラム乃至３グラム程度として設けている。
尚、通常の水の場合には、高吸水性ポリマーの重量の２００倍乃至５００倍程度の吸水量を実現するが、汗の場合の吸水量、即ち、吸汗量の場合には、吸収率が減少するため、本実施例の場合、吸汗量が５グラム乃至１０グラム程度となる。
【００２１】
また、接着層１２は、図４にも示すように、カップ体内面側の乳頭当接位置１８となる約直径３０ミリメートル程度の位置を除いたカップ体基体１３内面全体に設けている。
【００２２】
本実施例１に係るカップ体１０は、図３のＢ−Ｂ断面図に示すように、装着状態を基準として上部２０及び中央部２１の厚みと比較して、より厚手となる肉厚部２３を、下部に形成している。
【００２３】
（実施例１に係るバンドレスブラジャーの製造方法）
次に、本実施例１に係るバンドレスブラジャー１、即ち、左右別個のカップ体１０のみからなるバンドレスブラジャー１の製造方法について説明する。基本的にカップ体１を製造した後、カップ体１０の内面側に接着層１２を設けてなるものである。
【００２４】
先ず、カップ体１０の製造工程においては、裁断されたエラストマー１４と発泡材料とを混合して、袋状の可撓性シート１７内に封入する。
そして、カップ体成型用の型内に、当該袋状の可撓性シート１７を入れ、１２０℃乃至１６０℃程度で加熱する。この操作によって、エラストマー１４が発泡材料の作用を受けて発泡状態となり、全体が可撓性シート１７に被覆された軽量なカップ体１０として成型される。
【００２５】
次に、成形型から取り出されたカップ体１０の内面側にシリコーンゲルからなる接着剤１５を塗布する。塗布後１０℃乃至８０℃の温度下で乾燥させ、乾燥硬化するまでの間に、シリコーンゲル上に対して、高吸水性ポリマー１６を、略均一に振り掛ける。
【００２６】
更に、接着層１２の表面を平滑とするために、高吸水性ポリマー１６をシリコーンゲルに押しこむように型押しする。この型押し工程は必ずしも必要でなく、全行程の高吸水性ポリマー１６をシリコーンゲル上に振り掛けることにより終了することもできる。
【００２７】
尚、実施例２に係るバンドレスブラジャー１、即ち、図５に示すように、左右のカップ体１０を連結体１１で連結したバンドレスブラジャー１は、上記実施例１と同様の工程により左右の各カップ体１０を製造した後、左右相互のカップ体１０を連結体１１で縫着、溶着、接着等の手段により取付けることによって、完成する。連結体１１は合成樹脂製、布製等とすることができる。
【００２８】
本発明に係るバンドレスブラジャー１のカップ体１０については、カップ体基体１３におけるエラストマー１４は、実施例に開示したシリコーンゴムに限られるものではなく、例えば、ウレタン、ポリエステルエラストマーなど種々の公知なエラストマーを使用することができる。
【００２９】
本発明においては、高吸水性ポリマー１６の重量に対して吸水量が５０倍程度乃至１０００倍程度となる高吸水性ポリマーを使用することができ、特に２００倍乃至５００倍程度のものであれば、吸水性と吸水後の排水性とのバランスが非常に優れたものとなり、使用後に洗濯、乾燥を行なった場合に、十分に水分を取除くことができ、再使用にも極めて好適なものとなる。
【００３０】
以下に、参考として、本発明の実施例１に係るバンドレスブラジャー１におけるカップ体１０について、従来のバンドレスブラジャーにおけるカップ体一個当たりについて、比較した結果を示す。
【表１】
2005232649.tif 000003
【００３１】
上記表１に示すように、本発明の実施例１に係るバンドレスブラジャーによれば、脱着時における痛みも伴わずに十分な粘着性を確保できるとともに、極めて優れた吸汗性を備え、更に、抗菌性、洗濯への耐性、体臭の拡散防止機能を備え、位置決めも容易で、更に、肉厚部を備えながらも軽量であることが明らかである。
【００３２】
以上のように、本発明によれば、カップ体（１０）は、カップ体基体（１３）と該カップ体基体（１３）の内面側に設けられる接着層（１２）とからなり、接着層（１２）は、接着剤（１５）と高吸水性ポリマー（１６）を含み、当該接着層（１２）の表面において、接着剤（１５）と高吸水性ポリマー（１６）の双方が露出した構成としたことを基本として、極めて優れた吸汗性と適切な位置での接着力の確保により、汗による蒸れを生じないものとし、またカップ体の不慮の脱落を防止することができる効果をえることができ、また、接着層（１２）は、カップ体基体（１３）の内面において、乳頭当接位置（１８）を除く位置に設けた場合には脱着時には乳頭に痛みを生じることもなく、また着用時には位置決めを容易に行なうことができ、更には、カップ体基体（１３）は、可撓性シート（１７）によって発泡体（１９）を被覆密封した碗状とし、前記発泡体（１９）は、独立気泡性の発泡体とした場合には、体臭の拡散を防止することができるとともに外気との接触を避けて雑菌の繁殖を抑えることができるという、種々の優れた効果を発揮することができるのである。
【図面の簡単な説明】
【００３３】
【図１】本発明の実施例１に係るバンドレスブラジャーを示す斜視図である。
【図２】本発明の実施例１に係るバンドレスブラジャーを示すＡ−Ａ拡大断面図及びその一部拡大図である。
【図３】本発明の実施例１に係るバンドレスブラジャーを示すＢ−Ｂ拡大断面図である。
【図４】本発明の実施例１に係るバンドレスブラジャー内面側を示す説明図である。
【図５】本発明の実施例２に係るバンドレスブラジャーを示す斜視図である。
【符号の説明】
【００３４】
１      バンドレスブラジャー
１０    カップ体
１１    連結体
１２    接着層
１３    カップ体基体
１４    エラストマー
１５    接着剤
１６    高吸水性ポリマー
１７    可撓性シート
１８    乳頭当接位置
１９    発泡体
２０    上部
２１    中央部
２２    下部
２３    肉厚部
【図１】
2005232649.tif 000004
【図２】
2005232649.tif 000005
【図３】
2005232649.tif 000006
【図４】
2005232649.tif 000007
【図５】
2005232649.tif 000008